(57)【要約】【課題】チップ化の際に、土壌で分解されやすいチップに加工するチッパー及びチップ製造装置を提供する。【解決手段】チッパー１ａは、チッパー本体１００と散布装置２を備えている。チッパー本体１００は、破砕部１０１と、チップ排出筒１０２と、投入装置１０３と、チッパー制御部１０４を備えている。散布装置２は、土壌微生物等排出筒２１０と土壌微生物等排出口２１１と制御配線２１２を備えている。土壌微生物等排出筒２１０は、チッパー本体１００内部に導引されており、土壌微生物等排出筒２１０に設けられた土壌微生物等排出口２１１は、破砕部１０１内部に設けられている。制御配線２１２は、チッパー制御部１０４と散布装置２を連絡している。【選択図】        図１  
2005288857.tif 000002
【特許請求の範囲】
【請求項１】
散布手段(2)を備えたチッパー(1a,1b,1c)であって、
散布手段(2)の散布物噴射口(211,221,231)は、チッパー(100)の内部または／および外部に設けられており、
該噴射口(211,221,231)から、移動中のチップ(31)に散布物を散布できるよう構成したことを特徴とする、
チッパー。
【請求項２】
チップの撹拌装置(5)と、チッパー(100)と、散布手段(2)を備えたチップ製造装置(1d)であって、
散布手段(2)の散布物噴射口(241)は、該チップ撹拌装置(5)の内部または／および外部に設けられており、
該噴射口(241)から、移動中のチップ(31)に散布物を散布できるよう構成したことを特徴とする、
チップ製造装置。
【請求項３】
チップの選別装置(6)と、チッパー(100)と、散布手段(2)を備えたチップ製造装置(1e)であって、
散布手段(2)の散布物噴射口(251)は、該選別装置(6)の内部または／および外部に設けられており、
該噴射口(251)から、移動中のチップ(31)に散布物を散布できるよう構成したことを特徴とする、
チップ製造装置。
【請求項４】
移動中のチップ(31)に散布物を散布することを特徴とする、
チップの処理方法
【発明の詳細な説明】
【技術分野】
【０００１】
本発明は、チッパー、チップ製造装置及びチップの処理方法に関する。更に詳しくは、移動中のチップに土壌微生物等を散布することにより、土壌で分解されやすいチップに加工するチッパー、チップ製造装置及びチップの処理方法に関する。
【背景技術】
【０００２】
従来、間伐材や廃材等の処分方法の一つとして、小片（以下「チップ」という。）に粉砕する加工する方法があった。このチップは、林地や農地等に撒布すると腐朽して土壌微生物等によって分解されるため、植物の生育に役立つ養分となる。
このようなチップを加工する機械としては、下記特許文献１に示すようなチッパーが提案されている。
【特許文献１】特開２００３−７１８１１
【０００３】
上記特許文献１に記載されたチッパーを使用した場合、効率良く木材をチップ化することができる。
また、特許文献１に記載された自走式走行車を備えたチッパーは、現場で木材をチップ化することができるため、工場等に木材を持ち帰る手間が省ける。特に、林業においては、作業で生ずる間伐材等をその場でチップ化し、チップを林地に撒布すれば、間伐材等の搬出及び加工したチップの搬入の手間が省けるため便利である。
【発明の開示】
【発明が解決しようとする課題】
【０００４】
しかし、特許文献１にかかるチッパーは、撒布されたチップの分解処理を自然界に存在する土壌微生物等に委ねるため、分解処理の速度は土壌微生物の種類や繁殖状況により異なり、更に土壌の有機物の多少，酸性度，水分の多少などの生育条件によっても異なるので、分解処理に時間が掛かる場合があった。
【０００５】
分解処理を促進する方法として、撒布したチップに予め土壌微生物等を撒布し付着させる方法があるが、撒布された土壌微生物等は表層のチップのみに付着して下層のチップまで浸透しにくい。このため、チップが少量の場合はスコップ等で撹拌しながら撒布作業を行い、多量の場合はいわゆるホイールローダー等の作業機械により撹拌しながら撒布作業を行っていたが、手間も時間もかかり面倒であった。
また、チップを使用した堆肥を作る際は、堆肥の発酵を助けるために定期的にチップの撹拌を行うが、上記と同様に手間も時間もかかり面倒であった。
【０００６】
（発明の目的）
本発明の目的は、チップ化の際に、土壌で分解されやすいチップに加工するチッパー及びチップ製造装置を提供することにある。
本発明の他の目的は、チップ化の際に、土壌で分解されやすいチップに加工するチップの処理方法を提供することにある。
【課題を解決するための手段】
【０００７】
上記目的を達成するために本発明が講じた手段は次のとおりである。
第１の発明にあっては、
散布手段を備えたチッパーであって、
散布手段の散布物噴射口は、チッパーの内部または／および外部に設けられており、
該噴射口から、移動中のチップに散布物を散布できるよう構成したことを特徴とする、
チッパーである。
【０００８】
第２の発明にあっては、
チップの撹拌装置と、チッパーと、散布手段を備えたチップ製造装置であって、
散布手段の散布物噴射口は、該チップ撹拌装置の内部または／および外部に設けられており、
該噴射口から、移動中のチップに散布物を散布できるよう構成したことを特徴とする、
チップ製造装置である。
【０００９】
第３の発明にあっては、
チップの選別装置と、チッパーと、散布手段を備えたチップ製造装置であって、
散布手段の散布物噴射口は、該選別装置の内部または／および外部に設けられており、
該噴射口から、移動中のチップに散布物を散布できるよう構成したことを特徴とする、
チップ製造装置である。
【００１０】
第４の発明にあっては、
移動中のチップに散布物を散布することを特徴とする、
チップの処理方法である。
【００１１】
本明細書及び本特許請求の範囲にいう「チッパー」は、チップを製造する機械（ＪＩＳ工業用語大辞典第５版）を意味し、据え置き型及び自走型を含む意味で使用している。
【００１２】
本明細書及び本特許請求の範囲にいう「移動中のチップ」は、例えば、チッパー及びチップ製造装置内を移動しているチップをいうが、これに限定するものではなく、例えば、破砕作業時にチッパーのケーシング内を飛散している状態のチップや、チッパー外に排出されるチップ等も含む意味で使用している。
【００１３】
本明細書及び本特許請求の範囲にいう「内部または／および外部」とは、「内部」または「外部」のいずれか一方を含む場合もあるし、あるいは、「内部」および「外部」の両方を含む意味で使用している。
【００１４】
本明細書及び本特許請求の範囲にいう「チップの選別装置」は、例えば、一定の大きさに形成されたチップとその大きさ以下に形成されたチップを選別する装置を意味する。
【００１５】
本明細書及び本特許請求の範囲にいう「散布物」は、例えば、土壌微生物、消毒液、殺虫剤、水、その他土壌を改良するために有益なもの、あるいはこれらを組み合わせたものを含む意味で使用している。
「土壌微生物」は、土壌を生活の場とする微生物（広辞苑第４版）であって、例えば、細菌、放線菌、子嚢菌、担子菌、酵母、藻類などの植物、原生動物を含む意味で使用している。
また、「その他土壌を改良するために有益なもの」は、土壌微生物の繁殖及び活動を活発化させるために有益なもの、例えば、石灰質肥料など土壌の酸性度等を調整して土壌微生物の繁殖及び活動を活発化させるために有益なもの等を含む表現として使用している。
【００１６】
なお、本明細書に記載する第一乃至第五の実施の形態では、散布物を「土壌微生物等」と記載する。
【００１７】
（作  用）
まず、チッパーに木材をセットする。木材がチップ化される際に、チッパーに設けられた散布手段の噴射口から、移動中のチップに向けて土壌微生物等の散布物が散布される。これにより、土壌で分解されやすいチップとなる。
【００１８】
チップの選別装置を備えたチップ製造装置の場合、まず木材がチップ化されて選別装置に送られる。選別装置に移動した際に、選別装置に設けられた散布手段の噴射口から、移動中のチップに向けて土壌微生物等の散布物が散布される。これにより、土壌で分解されやすいチップとなる。
【００１９】
チップ撹拌装置を備えたチップ製造装置の場合、まず木材がチップ化されてチップ撹拌装置に送られる。チップ撹拌装置に移動した際に、チップ撹拌装置に設けられた散布手段の噴射口から、移動中のチップに向けて土壌微生物等の散布物が散布される。これにより、土壌で分解されやすいチップとなる。
また、適度に撹拌することにより好気性土壌微生物等の繁殖が促進されるため、土壌で分解されやすいチップとなる。
【発明の効果】
【００２０】
本発明によれば、次の効果を奏する。
チッパー及びチップ製造装置は、チッパー及びチップ製造装置内を移動しているチップに土壌微生物等を散布して満遍なくチップに付着させるため、土壌で分解されやすいチップに加工することができる。
また、作業現場において土壌微生物等を撒布する手間と時間が省けるため、作業効率が向上する。
【発明を実施するための最良の形態】
【００２１】
図１は本発明にかかるチッパーの第一の実施の形態を示す使用状態説明図である。図１を参照して、本発明の実施の形態を説明する。
【００２２】
チッパー１ａは、チッパー本体１００と散布装置２を備えている。
チッパー本体１００は、破砕部１０１と、チップ排出筒１０２と、投入装置１０３と、チッパー制御部１０４を備えている。
散布装置２は、土壌微生物等排出筒２１０と土壌微生物等排出口２１１と制御配線２１２を備えている。
土壌微生物等排出筒２１０は、チッパー本体１００内部に導引されており、土壌微生物等排出筒２１０に設けられた土壌微生物等排出口２１１は、破砕部１０１内部に設けられている。
制御配線２１２は、チッパー制御部１０４と散布装置２を連絡している。
【００２３】
（作  用）
本実施の形態におけるチッパー１ａの作用について説明する。
まず、木材３を投入装置１０３の矢印の方向に投入する。木材３を感知した投入装置１０３に設けられたセンサー（図示省略）は、チッパー制御部１０４へ信号を送り、チッパー制御部１０４は破砕部１０１を作動させる。作動した破砕部１０１は、投入された木材３を破砕してチップ３１に加工する。
【００２４】
チッパー制御部１０４は、動作を開始する際に、制御配線２１２を通じて散布装置２へ連絡する。連絡を受けた散布装置２は、土壌微生物等排出筒２１０を通じて土壌微生物等を破砕部１０１に送り、破砕中のチップ３１（図示省略）に土壌微生物等を散布する。破砕部１０１内部では、散布された土壌微生物等と加工中のチップ３１が満遍なく混じり合って付着する。
【００２５】
なお、散布装置２は、破砕中のチップ３１に好適なタイミングで土壌微生物等が散布されるよう、タイムラグをもうけて散布時期を調節する。例えば、チッパー制御部１０４が作動を開始した３秒後に、散布装置２が散布を開始するよう散布時期を調節する等の制御方法が挙げられる。
【００２６】
土壌微生物等が付着したチップ３１は、破砕部１０１からチップ排出筒１０２を通じて、チッパー１ａ外部へ撒布される。
【００２７】
図２は本発明にかかるチッパーの第二の実施の形態を示す使用状態説明図である。図２を参照して、本発明の実施の形態を説明する。なお、第一の実施の形態と同様の構成及び作用については説明を省略する。
【００２８】
本実施の形態のチッパー１ｂは、土壌微生物等排出筒２２０の土壌微生物等排出口２２１をチップ排出筒１０２の排出口近傍に設けている点において、第一の実施の形態と相違する。
なお、その他の部分については、第一の実施の形態とほぼ同様の構成であるため説明を省略し、同じ符号を付している。
【００２９】
（作  用）
本実施の形態におけるチッパー１ｂの作用について説明する。なお、第一の実施の形態と同様の作用については説明を省略し、相違する作用を説明する。
【００３０】
チッパー制御部１０４は、動作を開始する際に、制御配線２１２を通じて散布装置２へ連絡する。連絡を受けた散布装置２は、土壌微生物等排出筒２２０を通じて土壌微生物等を土壌微生物等排出口２２１に送る。土壌微生物等排出口２２１から散布された土壌微生物等は、排出中のチップ３１と空中で混じり合って付着する。
【００３１】
なお、散布装置２は、チップ３１が排出されるタイミングに合わせて土壌微生物等が散布されるよう、本実施の形態に好適なタイムラグをもうけて散布時期を調節している。
【００３２】
土壌微生物等が付着したチップ３１は、そのまま地面へ撒布される。
【００３３】
図３は本発明にかかるチッパーの第三の実施の形態を示す使用状態説明図である。図３を参照して、本発明の実施の形態を説明する。なお、第一または第二の実施の形態と同様の構成及び作用については説明を省略する。
【００３４】
チッパー１ｃは、チッパー本体１００と、散布装置２と、サイクロン４を備えている。なお、チッパー本体１００については、第一または第二の実施の形態と同様の構造であるため説明を省略する。
【００３５】
サイクロン４は、下方にチップ排出口４１と貯留体４１２を備えている。
サイクロン４は、チップ排出筒１０２を通じてチップ３１を受け入れるよう構成されている。
【００３６】
本実施の形態では、散布装置２の土壌微生物等排出筒２３０は貯留体４１２内に導引されており、土壌微生物等排出口２３１はチップ排出口４１近傍に設けられている。
【００３７】
なお、その他の部分については、第一または第二の実施の形態とほぼ同様の構成であるため説明を省略し、同じ符号を付している。
【００３８】
（作  用）
本実施の形態におけるチッパー１ｃの作用について説明する。なお、第一または第二の実施の形態と同様の作用については説明を省略し、相違する作用を説明する。
チッパー本体１００で加工されたチップ３１は、チップ排出筒１０２を通じて、サイクロン４へ送られる。
サイクロン４ではチップ３１と空気に分離され、空気はサイクロン４上方に示された矢印方向に抜け、チップ３１はサイクロン４内に示された下方向の矢印方向へ落下する。（図３参照）
【００３９】
チッパー制御部１０４は、動作を開始する際に、制御配線２１２を通じて散布装置２へ連絡する。連絡を受けた散布装置２は、土壌微生物等排出筒２３０を通じて土壌微生物等を土壌微生物等排出口２３１に送る。土壌微生物等排出口２３１から散布された土壌微生物等は、サイクロン４から落下してきたチップ３１とチップ排出口４１付近の空中で混じり合って付着する。
【００４０】
なお、散布装置２は、チップ３１がチップ排出口４１から排出されるタイミングに合わせて土壌微生物等が散布されるよう、本実施の形態に好適なタイムラグをもうけて散布時期を調節している。
【００４１】
土壌微生物等が付着したチップ３１は、貯留体４１２内に落下して貯留される。
なお、チップ３１は貯留体４１２に貯留されると同時に撒布してもよい。
【００４２】
図４は本発明にかかるチッパーの第四の実施の形態を示す使用状態説明図である。図４を参照して、本発明の実施の形態を説明する。なお、第一、第二または第三の実施の形態と同様の構成及び作用については説明を省略する。
【００４３】
チッパー１ｄは、チッパー本体１００と、散布装置２と、撹拌装置５を備えている。なお、チッパー本体１００については、第一、第二または第三の実施の形態と同様の構造であるため説明を省略する。
【００４４】
撹拌装置５は、撹拌ドラム５１を備えている。
撹拌装置５は、チップ排出筒１０２を通じてチップ３１を受け入れるよう構成されている。
【００４５】
本実施の形態では、散布装置２の土壌微生物等排出筒２４０は撹拌装置５内に導引されており、土壌微生物等排出口２４１は撹拌ドラム５１内部に設けられている。
【００４６】
なお、その他の部分については、第一、第二または第三の実施の形態とほぼ同様の構成であるため説明を省略し、同じ符号を付している。
【００４７】
（作  用）
本実施の形態におけるチッパー１ｄの作用について説明する。なお、第一、第二または第三の実施の形態と同様の作用については説明を省略し、相違する作用を説明する。
チッパー本体１００で加工されたチップ３１は、チップ排出筒１０２を通じて、撹拌装置５へ送られる。なお、撹拌装置５はサイクロンを備えており、サイクロンはチップ３１と空気に分離し、空気は撹拌装置５にかかるサイクロン上方に示された矢印方向に抜け、チップ３１は撹拌ドラム５１内へ移動する。（図４参照）
【００４８】
チッパー制御部１０４は、動作を開始する際に、制御配線２１２を通じて散布装置２へ連絡する。連絡を受けた散布装置２は、土壌微生物等排出筒２４０を通じて土壌微生物等を土壌微生物等排出口２４１に送る。土壌微生物等排出口２４１から散布された土壌微生物等は、撹拌ドラム５１内で撹拌中のチップ３１と混じり合って付着する。
本実施の形態では、散布された土壌微生物等は、撹拌ドラム５１内部において空中で付着した後も、更に撹拌ドラム５１内で繰り返し撹拌されるため、より満遍なく土壌微生物等を付着させることができる。
また、チップ３１を撹拌ドラム５１内で撹拌すると、酸素が供給されて好気性土壌微生物の繁殖に好適な環境となり、好気性土壌微生物の繁殖が促進される。これにより、チップ３１はより土壌で分解されやすくなる。
【００４９】
なお、散布装置２は、チップ３１が撹拌ドラム５１に送られてくるタイミングに合わせて土壌微生物等が散布されるよう、本実施の形態に好適なタイムラグをもうけて散布時期を調節している。
【００５０】
土壌微生物等が付着したチップ３１は、撹拌ドラム５１内に貯留される。
【００５１】
なお、チップ３１は撹拌ドラム５１に貯留されると同時に撒布してもよいし、一定期間撹拌ドラム５１内で発酵させて堆肥にしてもよい。
堆肥として一定期間発酵させる場合は、定期的に撹拌ドラム５１内のチップ３１を撹拌すると、発酵中のチップ３１に新しい酸素が供給されるため、好気性土壌微生物の繁殖を促進し、堆肥化が早まる。
【００５２】
図５は本発明にかかるチッパーの第五の実施の形態を示す使用状態説明図である。図５を参照して、本発明の実施の形態を説明する。なお、第一、第二、第三または第四の実施の形態と同様の構成及び作用については説明を省略する。
【００５３】
チッパー１ｅは、チッパー本体１００と、散布装置２と、選別装置６を備えている。なお、チッパー本体１００については、第一、第二、第三または第四の実施の形態と同様の構造であるため説明を省略する。
【００５４】
選別装置６は、選別部６１と、チップ排出筒６２と、貯留体６３を備えている。
選別装置６は、チップ排出筒１０２を通じてチップ３１を受け入れるよう構成されている。
【００５５】
本実施の形態では、散布装置２の土壌微生物等排出筒２５０は選別装置６内に導引されており、土壌微生物等排出口２５１は貯留体６３内部に設けられている。
【００５６】
なお、その他の部分については、第一、第二、第三または第四の実施の形態とほぼ同様の構成であるため説明を省略し、同じ符号を付している。
【００５７】
（作  用）
本実施の形態におけるチッパー１ｅの作用について説明する。なお、第一、第二、第三または第四の実施の形態と同様の作用については説明を省略し、相違する作用を説明する。
チッパー本体１００で加工されたチップは、チップ排出筒１０２を通じて、選別装置６へ送られる。なお、選別装置６はサイクロンを備えており、サイクロンはチップと空気に分離し、空気は選別装置６にかかるサイクロン上方に示された矢印方向に抜け、チップは選別部６１内へ移動する。（図５参照）
選別部６１内では、送られてきたチップを、小さなチップであるチップ３１と、大きなチップであるチップ３２に選別する。チップ３２はチップ排出筒６２から外部に排出され、チップ３１は選別部下方に設けられた貯留体６３に送られる。
【００５８】
チッパー制御部１０４は、動作を開始する際に、制御配線２１２を通じて散布装置２へ連絡する。連絡を受けた散布装置２は、土壌微生物等排出筒２５０を通じて土壌微生物等を土壌微生物等排出口２５１に送る。土壌微生物等排出口２５１から散布された土壌微生物等は、選別部６２から落下してくるチップ３１と空中で混じり合って付着する。
【００５９】
なお、散布装置２は、チップ３１が貯留体６３に落下してくるタイミングに合わせて土壌微生物等が散布されるよう、タイムラグをもうけて散布時期を調節している。
【００６０】
土壌微生物等が付着したチップ３１は、貯留体６３に貯留される。
なお、チップ３１は貯留体６３に貯留されると同時に撒布してもよい。
【００６１】
第一乃至第五の実施の形態のチッパーは、散布装置及び散布箇所を各一つ設けているが、これに限定するものではなく、例えば、二以上の散布装置を使用して同種あるいは異種の土壌微生物等を散布できるよう構成してもよいし、一の散布装置で多数箇所に散布できるよう二以上の排出筒及び排出口を設けた構成であってもよい。
【００６２】
第一乃至第五の実施の形態に使用するチッパー本体は、特に機種を限定するものではなく、例えば、公知技術にかかるチッパーであってもよい。また、第一乃至第五の実施の形態に使用するチッパー本体は自走式走行車を備えているが、据え置き型のチッパー等であってもよい。
【００６３】
第一乃至第五の実施の形態のチッパーは、チッパー制御部と散布装置間の連絡に制御配線を使用しているが、これに限定するものではなく、例えば、無線等の手段によりチッパー制御部と散布装置間の連絡を行ってもよい。
【００６４】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【図面の簡単な説明】
【００６５】
【図１】本発明にかかるチッパーの第一の実施の形態を示す使用状態説明図。
【図２】本発明にかかるチッパーの第二の実施の形態を示す使用状態説明図。
【図３】本発明にかかるチッパーの第三の実施の形態を示す使用状態説明図。
【図４】本発明にかかるチッパーの第四の実施の形態を示す使用状態説明図。
【図５】本発明にかかるチッパーの第五の実施の形態を示す使用状態説明図。
【符号の説明】
【００６６】
１ａ    チッパー
１ｂ    チッパー
１ｃ    チッパー
１ｄ    チッパー
１ｅ    チッパー
１００  チッパー本体
１０１  破砕部
１０２  チップ排出筒
１０３  投入装置
１０４  チッパー制御部
２      散布装置
２１０  土壌微生物等排出筒
２１１  土壌微生物等排出口
２１２  制御配線
２２０  土壌微生物等排出筒
２２１  土壌微生物等排出口
２３０  土壌微生物等排出筒
２３１  土壌微生物等排出口
２４０  土壌微生物等排出筒
２４１  土壌微生物等排出口
２５０  土壌微生物等排出筒
２５１  土壌微生物等排出口
３      木材
３１    チップ
３２    チップ
４      サイクロン
４１    チップ排出口
４１２  貯留体
５      撹拌装置
５１    撹拌ドラム
６      選別装置
６１    選別部
６２    チップ排出筒
６３    貯留体
【図１】
2005288857.tif 000003
【図２】
2005288857.tif 000004
【図３】
2005288857.tif 000005
【図４】
2005288857.tif 000006
【図５】
2005288857.tif 000007